(57)【特許請求の範囲】
【請求項１】
ＯＦＤＭ（Orthogonal Frequency Division Multiplexing）方式で変調されたＯＦＤＭ変調信号を受信し、当該ＯＦＤＭ変調信号を復号した復号データを生成する受信装置であって、
前記ＯＦＤＭ変調信号を所定の周波数帯域に変換した信号を入力し、前記ＯＦＤＭ変調信号の時間領域上で直交復調を行い時間領域信号を出力する直交復調部（１）と、
前記直交復調部（１）から出力された前記時間領域信号に対してＦＦＴ（Fast Fourier Transform）を行うＦＦＴ窓の位置を制御し、当該ＦＦＴ窓に対応するＦＦＴデータを出力する窓制御部（２）と、
前記窓制御部（２）から出力された前記ＦＦＴデータに対してＦＦＴを行い、周波数領域データを出力するＦＦＴ部（３）と、
前記ＦＦＴ部（３）から出力された前記周波数領域データに対して復号を行うデータ復号部（４）と、
を備え、
前記窓制御部（２）は、
前記時間領域信号から遅延量が異なる複数の遅延信号を生成する信号遅延部（２１）と、
前記時間領域信号と前記複数の遅延信号とのうち互いの前記遅延量の差が１有効シンボル分である２つの信号を所定の切替タイミングに基づいて切り替えて出力するスイッチ（２２１、２４１、２６１、２６２）を有し、当該スイッチ（２２１、２４１、２６１、２６２）の出力信号を含む前記ＦＦＴデータを出力する信号切替部（２２）と、
を備えることを特徴とする、受信装置。
【請求項２】
前記ＦＦＴ部（３）から出力された前記周波数領域データに基づいて、伝送路にて生じた前記ＯＦＤＭ変調信号の歪みを推定する伝送路推定部（５）をさらに備え、
前記窓制御部（２）は、前記伝送路推定部（５）にて推定された結果に基づいて前記切替タイミングを制御することを特徴とする、請求項１に記載の受信装置。
【請求項３】
前記データ復号部（４）は、前記ＯＦＤＭ変調信号の誤りを訂正して前記復号データを出力する誤り訂正部（６）を有し、
前記窓制御部（２）は、前記誤り訂正部（６）にて得られた訂正量に基づいて前記切替タイミングを制御することを特徴とする、請求項１に記載の受信装置。
【請求項４】
前記信号遅延部（２１）は、前記複数の遅延信号をそれぞれ出力する、直列接続された複数の遅延部（２１１〜２１４）を備えることを特徴とする、請求項１に記載の受信装置。
【請求項５】
前記窓制御部（２）は、前記時間領域信号に含まれる所定のシンボルの先頭を示すシンボルヘッダを基準として前記ＦＦＴ窓の位置を制御することを特徴とする、請求項１に記載の受信装置。
【請求項６】
ＯＦＤＭ（Orthogonal Frequency Division Multiplexing）方式で変調されたＯＦＤＭ変調信号を受信し、当該ＯＦＤＭ変調信号を復号した復号データを生成する受信方法であって、
（ａ）前記ＯＦＤＭ変調信号を所定の周波数帯域に変換した信号を入力し、前記ＯＦＤＭ変調信号の時間領域上で直交復調を行い時間領域信号を出力する工程と、
（ｂ）前記工程（ａ）によって出力された前記時間領域信号に対してＦＦＴ（Fast Fourier Transform）を行うＦＦＴ窓の位置を制御し、当該ＦＦＴ窓に対応するＦＦＴデータを出力する工程と、
（ｃ）前記工程（ｂ）によって出力された前記ＦＦＴデータに対してＦＦＴを行い、周波数領域データを出力する工程と、
（ｄ）前記工程（ｃ）によって出力された前記周波数領域データに対して復号を行う工程と、
を備え、
前記工程（ｂ）は、
（ｅ）前記時間領域信号から遅延量が異なる複数の遅延信号を生成する工程と、
（ｆ）前記時間領域信号と前記複数の遅延信号とのうち互いの前記遅延量の差が１有効シンボル分である２つの信号を所定の切替タイミングに基づいて切り替えて出力された出力信号を含む前記ＦＦＴデータを出力する工程と、
を備えることを特徴とする、受信方法。
【請求項７】
（ｇ）前記工程（ｃ）によって出力された前記周波数領域データに基づいて、伝送路にて生じた前記ＯＦＤＭ変調信号の歪みを推定する工程
をさらに備え、
前記工程（ｂ）は、前記工程（ｇ）にて推定された結果に基づいて前記切替タイミングを制御することを特徴とする、請求項６に記載の受信方法。
【請求項８】
前記工程（ｄ）は、
（ｈ）前記ＯＦＤＭ変調信号の誤りを訂正して前記復号データを出力する工程を有し、
前記工程（ｂ）は、前記工程（ｈ）にて得られた訂正量に基づいて前記切替タイミングを制御することを特徴とする、請求項６に記載の受信方法。
【請求項９】
前記工程（ｅ）は、
（ｉ）複数に直列接続され、前記複数の遅延信号をそれぞれ出力する工程を備えることを特徴とする、請求項６に記載の受信方法。
【請求項１０】
前記工程（ｂ）は、前記時間領域信号に含まれる所定のシンボルの先頭を示すシンボルヘッダを基準として前記ＦＦＴ窓の位置を制御することを特徴とする、請求項６に記載の受信方法。
【発明の詳細な説明】
【技術分野】
【０００１】
本発明は、直交周波数分割多重方式であるＯＦＤＭ（Orthogonal Frequency Division Multiplexing）方式で変調された信号の受信装置および受信方法に関する。
【背景技術】
【０００２】
近年、デジタル信号を伝送する方式として、直交周波数分割多重（以下、ＯＦＤＭとも称する）方式と呼ばれる変調方式が用いられている。ＯＦＤＭ方式は、伝送帯域内に多数の直交する副搬送波を用意し、それぞれの副搬送波の振幅および位相にデータを割り当て、ＰＳＫ（Phase Shift Keying）やＱＡＭ（Quadrature Amplitude Modulation）によりデジタル変調する方式である。【０００３】
ＯＦＤＭ時間領域信号は、ＯＦＤＭシンボルと呼ばれるシンボル単位で伝送される（例えば、非特許文献１参照）。ＯＦＤＭシンボルは、ガードインターバルおよび有効シンボルによって構成されている。【０００４】
ガードインターバルを付加することにより、ガードインターバルよりも短いマルチパスに関しては、受信装置側で適切な信号処理を施すことで、マルチパスの影響を除去することが可能となる（例えば、特許文献１、２、３参照）。このような特徴により、ＯＦＤＭ方式は、マルチパス妨害の影響を強く受ける地上波デジタル放送に適用されることが多い。ＯＦＤＭ方式を採用した地上波デジタル放送としては、例えばＤＶＢ−Ｔ（Digital Video Broadcasting-Terrestrial）やＩＳＤＢ−Ｔ（Integrated Services Digital Broadcasting-Terrestrial）等の規格がある。
【先行技術文献】
【特許文献】
【０００５】
【特許文献１】特許第３７４０４６８号公報
【特許文献２】特許第４０５６２３８号公報
【特許文献３】特開２００９−２２５０８０号公報
【非特許文献】
【０００６】
【非特許文献１】ARIB STD-B31  地上デジタルテレビジョン放送の伝送方式
【発明の概要】
【発明が解決しようとする課題】
【０００７】
同一のＯＦＤＭシンボル内であればどこでも、有効シンボル長の信号をＦＦＴ（Fast Fourier Transform：高速フーリエ変換）することによって時間領域上の信号を周波数領域上の信号に変換することができる。なぜなら、ガードインターバルは、有効シンボルの後ろの部分をコピーしたものであるため、周波数特性が同じになるからである。これにより、マルチパスによるガードインターバル内の遅延波が存在しても遅延波の影響を受けずに同様に周波数領域上の信号に変換することができ、変換した信号を復号することができる。【０００８】
しかし、例えば送信信号を移動しながら受信する場合には、受信信号の電力が時間的に大きく変化するため、最適なＦＦＴ窓位置が変化する。また、伝送路の周波数特性や電波環境の時間変動も移動環境や移動速度に応じて変化する。これに対し、上記の各特許文献に記載のように、受信信号のデータサンプル単位でＦＦＴ窓位置を制御すると、窓位置を移動した分だけの位相回転が生じることとなり、周波数領域上において、複数のシンボルを用いて伝送路推定や等化などを行う場合は、位相回転の補正が必要となるため位相回転補正回路の回路規模が増大するという問題があった。【０００９】
また、ＦＦＴ窓の位置を変えるのではなく、クロック周波数を微小にオフセットさせて相対的にＦＦＴ窓の位置を移動させる方法があるが、クロックのオフセット幅を大きくし過ぎるとクロック周波数のずれの影響が出てしまうため緩やかな制御しかできず、例えば受信装置を車載したときの受信等における急激な伝送路の変化に追従できないという問題があった。【００１０】
本発明は、このような問題を解決するためになされたものであり、ＦＦＴ後の信号が周波数領域上において位相回転することを防ぐことが可能な受信装置および受信方法を提供することを目的とする。
【課題を解決するための手段】
【００１１】
上記の課題を解決するために、本発明による受信装置は、ＯＦＤＭ（Orthogonal Frequency Division Multiplexing）方式で変調されたＯＦＤＭ変調信号を受信し、当該ＯＦＤＭ変調信号を復号した復号データを生成する受信装置であって、ＯＦＤＭ変調信号を所定の周波数帯域に変換した信号を入力し、ＯＦＤＭ変調信号の時間領域上で直交復調を行い時間領域信号を出力する直交復調部と、直交復調部から出力された時間領域信号に対してＦＦＴ（Fast Fourier Transform）を行うＦＦＴ窓の位置を制御し、当該ＦＦＴ窓に対応するＦＦＴデータを出力する窓制御部と、窓制御部から出力されたＦＦＴデータに対してＦＦＴを行い、周波数領域データを出力するＦＦＴ部と、ＦＦＴ部から出力された周波数領域データに対して復号を行うデータ復号部とを備え、窓制御部は、時間領域信号から遅延量が異なる複数の遅延信号を生成する信号遅延部と、時間領域信号と複数の遅延信号とのうち互いの遅延量の差が１有効シンボル分である２つの信号を所定の切替タイミングに基づいて切り替えて出力するスイッチを有し、当該スイッチの出力信号を含むＦＦＴデータを出力する信号切替部とを備えることを特徴とする。
【発明の効果】
【００１２】
本発明によると、ＯＦＤＭ変調信号を所定の周波数帯域に変換した信号を入力し、ＯＦＤＭ変調信号の時間領域上で直交復調を行い時間領域信号を出力する直交復調部と、直交復調部から出力された時間領域信号に対してＦＦＴ（Fast Fourier Transform）を行うＦＦＴ窓の位置を制御し、当該ＦＦＴ窓に対応するＦＦＴデータを出力する窓制御部と、窓制御部から出力されたＦＦＴデータに対してＦＦＴを行い、周波数領域データを出力するＦＦＴ部と、ＦＦＴ部から出力された周波数領域データに対して復号を行うデータ復号部とを備え、窓制御部は、時間領域信号から遅延量が異なる複数の遅延信号を生成する信号遅延部と、時間領域信号と複数の遅延信号とのうち互いの遅延量の差が１有効シンボル分である２つの信号を所定の切替タイミングに基づいて切り替えて出力するスイッチを有し、当該スイッチの出力信号を含むＦＦＴデータを出力する信号切替部とを備えるため、ＦＦＴ後の信号が周波数領域上において位相回転することを防ぐことが可能となる。
【００１３】
この発明の目的、特徴、局面、および利点は、以下の詳細な説明と添付図面とによって、より明白となる。
【図面の簡単な説明】
【００１４】
【図１】本発明の実施形態１による受信装置のブロック図である。
【図２】本発明の実施形態１による窓制御部の構成の一例を示す図である。
【図３】本発明の実施形態１による信号遅延部の構成の一例を示す図である。
【図４】本発明の実施形態１による信号切替部の構成の一例を示す図である。
【図５】本発明の実施形態１による窓制御部の動作を示す図である。
【図６】本発明の実施形態１による窓制御部におけるＦＦＴ窓の切り出し位置を変更した場合の動作を示す図である。
【図７】本発明の実施形態２による受信装置のブロック図である。
【図８】本発明の実施形態３による受信装置のブロック図である。
【図９】本発明の実施形態４による信号遅延部の構成の一例を示す図である。
【図１０】本発明の実施形態４による信号切替部の構成の一例を示す図である。
【図１１】本発明の実施形態４による窓制御部の動作を示す図である。
【図１２】本発明の実施形態４による窓制御部におけるＦＦＴ窓の切り出し位置を変更した場合の動作を示す図である。
【図１３】本発明の実施形態５による信号遅延部の構成の一例を示す図である。
【図１４】本発明の実施形態５による信号切替部の構成の一例を示す図である。
【図１５】本発明の実施形態５による窓制御部の動作を示す図である。
【図１６】本発明の実施形態５による窓制御部におけるＦＦＴ窓の切り出し位置を変更した場合の動作を示す図である。
【図１７】ＯＦＤＭシンボルの構成の一例を示す図である。
【発明を実施するための形態】
【００１５】
本発明の実施形態について、図面を用いて以下に説明する。
【００１６】
まず、本発明の前提となる技術について説明する。
【００１７】
〈前提技術〉
図１７は、ＯＦＤＭシンボルの構成の一例を示す図である。図１７に示すように、「ＯＦＤＭシンボル」と記載されている矢印の範囲が、１つのＯＦＤＭシンボルの占める区間を示している。また、１つのＯＦＤＭシンボルは、ガードインターバル（図１７中のＡからＢまでの区間）および有効シンボル（図１７中のＢからＣまでの区間）により構成されている。ガードインターバルは、有効シンボルの後ろの部分（図１７中の斜線でハッチングされた部分）の波形が所定の割合分だけコピーされ、有効シンボルの直前（すなわち先頭）の位置に付加されたものである。ガードインターバルを付加することにより、ガードインターバルよりも短いマルチパスに関しては、受信装置側で適切な信号処理を施すことで、マルチパスの影響を除去することが可能となる（例えば、特許文献１、２、３参照）。
【００１８】
しかし、上述のように、例えば送信信号を移動しながら受信する場合などにおいて、受信信号のデータサンプル単位でＦＦＴ窓位置を制御すると、窓位置を移動した分だけの位相回転が生じることとなり、周波数領域上において、複数のシンボルを用いて伝送路推定や等化などを行う場合は、位相回転の補正が必要となるため位相回転補正回路の回路規模が増大するという問題があった。
【００１９】
本発明は、このような問題を解決するためになされたものであり、以下に詳細を説明する。
【００２０】
〈実施形態１〉
図１は、本発明の実施形態１による受信装置のブロック図である。図１に示すように、本実施形態１による受信装置は、ＯＦＤＭ方式で変調されたＯＦＤＭ変調信号を受信し、当該ＯＦＤＭ変調信号を復号した復号データを生成する受信装置であって、ＯＦＤＭ変調信号を所定の周波数帯域に変換した信号を入力し、ＯＦＤＭ変調信号の時間領域上で直交復調を行い時間領域信号を出力する直交復調部１と、直交復調部１から出力された時間領域信号に対してＦＦＴを行うＦＦＴ窓の位置を制御し、当該ＦＦＴ窓に対応するＦＦＴデータを出力する窓制御部２と、窓制御部２から出力されたＦＦＴデータに対してＦＦＴを行い、周波数領域データを出力するＦＦＴ部３と、ＦＦＴ部３から出力された周波数領域データに対して復号を行うデータ復号部４とを備えている。
【００２１】
次に、動作について説明する。直交復調部１は、チューナで受信した信号を所定の周波数帯域に変換した受信信号を入力として時間領域上で直交復調を行い時間領域信号を出力する。なお、本発明において、直交復調の方法は任意であり、従来技術であるため、ここでの詳細な説明は省略する。
【００２２】
窓制御部２は、後段のＦＦＴ部３でＦＦＴを行うＦＦＴ窓を制御し、周波数領域上で得られた信号、例えばパイロット信号のＳ/Ｎ等を用いたり、周波数領域上でＩＦＦＴ（Inverse Fast Fourier Transform：逆高速フーリエ変換）を行い遅延プロファイルから主波の時間領域上の位置を求めたり、誤り率を用いるなどして、最良のＦＦＴ窓位置を決定する。
【００２３】
図２は、本実施形態１による窓制御部２の構成の一例を示す図である。図２に示すように、窓制御部２は、時間領域信号から遅延量が異なる複数の遅延信号を生成する信号遅延部２１と、時間領域信号と複数の遅延信号とのうちいずれか２つを所定の切替タイミングに基づいて切り替えて出力するスイッチ２２１（図４参照）を有し、当該スイッチ２２１の出力信号を含むＦＦＴデータを出力する信号切替部２２とを備える。
【００２４】
次に、窓制御部２の動作について説明する。信号遅延部２１は、直交復調部１から出力された時間領域信号を入力し、当該時間領域信号を遅延させた遅延信号を生成する。信号遅延部２１にて生成された遅延量が異なる複数の遅延信号は、信号切替部２２に入力される。信号切替部２２は、データ復号部４のデータに基づいてＦＦＴを行うＦＦＴ窓の位置を決定する信号の切替位置（切替タイミング）を決定する。
【００２５】
図３は、本実施形態１による信号遅延部２１の構成の一例を示す図である。図３に示すように、信号遅延部２１は、複数の遅延信号をそれぞれ出力する、直列接続された複数の遅延部２１１〜２１４を備えており、信号遅延部２１から出力される複数の遅延信号が信号切替部２２に入力されている。なお、遅延部２１１〜２１４は、例えばメモリ等であってもよい。
【００２６】
次に、信号遅延部２１の動作について説明する。直交復調部１から出力された時間領域信号を入力し、同じ遅延量の遅延部２１１〜２１４が直列に接続され、各遅延部２１１〜２１４にて遅延量が異なる信号（遅延信号）が４つ（信号１〜４）生成される。なお、各遅延部２１１〜２１４における遅延量は１／４有効シンボル長である。上記４つの遅延信号（信号１〜４）と、遅延部２１１〜２１４を通らない入力信号（信号０、時間領域信号）がそのまま出力され、図６に０〜４で示された合計５つの信号が出力される。
【００２７】
図４は、本実施形態１による信号切替部２２の構成の一例を示す図である。図４に示すように、信号切替部２２は、上述のスイッチ２２１を備えており、信号切替部２２の出力が窓制御部２の出力となる。
【００２８】
次に、信号切替部２２の動作について説明する。図４に示す入力信号０〜４は、図３に示す信号遅延部２１の出力信号０〜４に対応する。図４に示すように、スイッチ２２１において、信号０と信号４とがデータ復号部４から入力されたデータに基づいて切り替えられ出力される。すなわち、スイッチ２２１は、時間領域信号と、当該時間領域信号に対して１有効シンボル分遅延した遅延信号とを切り替えて出力している。この切替タイミングを変更する事により、ＦＦＴ窓の位置を変更することができる。また、入力信号１〜３はそのまま出力される。
【００２９】
次に、スイッチ２２１の動作について説明する。図５は、本実施形態１による窓制御部２の動作を示す図である。図５に示すように、入力データ０（遅延なし）、入力データ１（１/４有効シンボル遅延）、入力データ２（２/４有効シンボル遅延）、入力データ３（３/４有効シンボル遅延）、入力データ４（１有効シンボル遅延）の各々は、図３，４に示す信号０〜４に対応する。図５の左側の図は、図３の信号遅延部２１の出力を示している。図５の右側の図は、信号遅延部２１から出力された遅延信号を信号切替部２２によって切り替えられたものである。ここで、入力データ０の信号を入力信号４の前に移動させる。このとき、入力データ０と入力データ４との境目が信号切替位置となる。このような信号（図５の右側に示す信号）は、ＦＦＴ窓に対応するＦＦＴデータとして信号切替部２２（すなわち、窓制御部２）から出力され、ＦＦＴ部３に入力される。
【００３０】
図６は、本実施形態１による窓制御部２におけるＦＦＴ窓の切り出し位置を変更した場合の動作を示す図である。図６に示すように、入力データ０の信号が少し長くなり、入力データ４の信号が少し短くなっている。すなわち、入力データ０と入力データ４との切替位置が時間的に後ろへ移動しているため、ＦＦＴ窓の位置が移動している。しかし、シンボルヘッダ（ＦＦＴ窓の基準となる点）の位置は変わらないので、周波数領域上において位相回転は生じない。このように、窓制御部２は、時間領域信号に含まれる所定のシンボルの先頭を示すシンボルヘッダを基準としてＦＦＴ窓の位置を制御している。
【００３１】
ＦＦＴ部３では、図５，６に示される右側の図の出力データ４を先頭に、出力データ３、出力データ２、出力データ１の順番で再結合された信号（ＦＦＴデータ）をＦＦＴする。従って、本実施形態１による受信装置では、±１/８有効シンボルのＦＦＴ窓の移動が可能となる。
【００３２】
以上のことから、ＦＦＴ部の直前に信号遅延部を備え、時間領域上においてＯＦＤＭ１シンボル分を信号遅延部にて複数の遅延信号として生成し、当該複数の遅延信号の切り替え位置を変更することによって、ＦＦＴの基準位置（シンボルヘッダ）を変えることなくＦＦＴ窓の移動を可能とし、周波数領域上において位相回転を防ぐことができる。また、位相回転が生じないことから、ＦＦＴ後の周波数領域において位相回転補正回路が不要となる。また、位相回転補正回路が不要となることから、回路規模を削減することができる。また、信号遅延部は、元々ＦＦＴ基準点を求めるために１有効シンボル遅延した信号との相関をとる手法が一般的であり、その場合に用いるメモリを共有して利用できるため、遅延部（例えば、メモリ）の増加（増設）は必要ない。
【００３３】
〈実施形態２〉
図７は、本実施形態２による受信装置のブロック図である。図７に示すように、本実施形態２による受信装置は、ＦＦＴ部３から出力された周波数領域データに基づいて、伝送路にて生じたＯＦＤＭ変調信号の歪みを推定する伝送路推定及び補正部５（伝送路推定部）と、ＯＦＤＭ変調信号の誤りを訂正して復号データを出力する誤り訂正部６とを備え、窓制御部２は、伝送路推定及び補正部５にて推定された結果に基づいて切替タイミングを制御することを特徴としている。その他の構成および動作は、実施形態１と同様であるため、ここでは説明を省略する。
【００３４】
窓制御部２は、後段のＦＦＴ部３でＦＦＴを行うＦＦＴ窓を制御し、周波数領域上で得られた信号、例えばパイロット信号のＳ/Ｎ等を用いたり、周波数領域上でＩＦＦＴを行い遅延プロファイルから主波の時間領域上の位置を求めたりするなどして、最良のＦＦＴ窓位置を決定する。
【００３５】
次に、窓制御部２の動作について説明する（図２参照）。信号遅延部２１は、直交復調部１から出力された時間領域信号を入力し、当該時間領域信号を遅延させた遅延信号を生成する。信号遅延部２１にて生成された遅延量が異なる複数の遅延信号は、信号切替部２２に入力される。信号切替部２２は、伝送路推定及び補正部５にて推定された結果に基づいて、ＦＦＴを行うＦＦＴ窓の位置を決定する信号の切替位置（切替タイミング）を決定する。
【００３６】
次に、信号切替部２２の動作について説明する（図４参照）。図４に示すように、スイッチ２２１において、信号０と信号４とが伝送路推定及び補正部５にて推定された結果に基づいて切り替えられ出力される。この切替タイミングを変更する事により、ＦＦＴ窓の位置を変更することができる。
【００３７】
以上のことから、本実施形態２による受信装置は、伝送路推定及び補正部５にて推定された結果に基づいて切替タイミングを制御することによって、実施形態１と同様の効果が得られる。
【００３８】
〈実施形態３〉
図８は、本実施形態３による受信装置のブロック図である。図８に示すように、本実施形態３による受信装置は、窓制御部２が、誤り訂正部６にて得られた訂正量に基づいて切替タイミングを制御することを特徴としている。その他の構成および動作は、実施形態２と同様であるため、ここでは説明を省略する。
【００３９】
窓制御部２は、後段のＦＦＴ部３でＦＦＴを行うＦＦＴ窓を制御し、誤り訂正部６にて得られた誤り率（訂正量）を最小にするように、最良のＦＦＴ窓位置を決定する。
【００４０】
次に、窓制御部２の動作について説明する（図２参照）。信号遅延部２１は、直交復調部１から出力された時間領域信号を入力し、当該時間領域信号を遅延させた遅延信号を生成する。信号遅延部２１にて生成された遅延量が異なる複数の遅延信号は、信号切替部２２に入力される。信号切替部２２は、誤り訂正部６にて得られた誤り率等（訂正量）に基づいて、ＦＦＴを行うＦＦＴ窓の位置を決定する信号の切替位置（切替タイミング）を決定する。
【００４１】
次に、信号切替部２２の動作について説明する（図４参照）。図４に示すように、スイッチ２２１において、信号０と信号４とが誤り訂正部６にて得られた訂正量に基づいて切り替えられ出力される。この切替タイミングを変更する事により、ＦＦＴ窓の位置を変更することができる。
【００４２】
以上のことから、本実施形態３による受信装置は、誤り訂正部６にて得られた誤り率等（訂正量）に基づいて切替タイミングを制御することによって、実施形態１，２と同様の効果が得られる。
【００４３】
〈実施形態４〉
実施形態１〜３では、図３に示すように遅延部２１１〜２１４が４つあり、各遅延部２１１〜２１４における遅延量が１／４有効シンボルである場合について説明した。本実施形態４では、図９に示すように遅延部２３１，２３２が２つあり、各遅延部２３１，２３２における遅延量が１／２有効シンボルである場合について説明する。本実施形態４による受信装置は窓制御部２に特徴を有しており、その他の構成および動作は実施形態１〜３による受信装置（図１，７，８）と同様であるため、ここでは説明を省略する。
【００４４】
図９は、本実施形態４による信号遅延部２３の構成の一例を示す図である。図９に示すように、信号遅延部２３は、複数の遅延信号をそれぞれ出力する、直列接続された２つの遅延部２３１，２３２を備えており、信号遅延部２３から出力される３つの遅延信号（信号０〜２）が信号切替部２４に入力されている。なお、遅延部２３１，２３２は、例えばメモリ等であってもよい。
【００４５】
次に、信号遅延部２３の動作について説明する。直交復調部１から出力された時間領域信号を入力し、同じ遅延量の遅延部２３１，２３２が直列に接続され、各遅延部２３１，２３２にて遅延量が異なる信号（遅延信号）が２つ（信号１，２）生成される。なお、各遅延部２３１，２３２における遅延量は１／２有効シンボル長である。上記２つの遅延信号と、遅延部２３１，２３２を通らない入力信号（信号０、時間領域信号）がそのまま出力され、図９に０〜２で示された合計３つの信号が出力される。
【００４６】
図１０は、本実施形態４による信号切替部２４の構成の一例を示す図である。図１０に示すように、信号切替部２４は、スイッチ２４１を備えており、信号切替部２４の出力が窓制御部２の出力となる。
【００４７】
次に、信号切替部２４の動作について説明する。図１０に示す入力信号０〜２は、図９に示す信号遅延部２３の出力信号０〜２に対応する。図１０に示すように、スイッチ２４１において、信号０と信号２とが切り替えられ出力される。すなわち、スイッチ２４１は、時間領域信号と、当該時間領域信号に対して１有効シンボル分遅延した遅延信号とを切り替えて出力している。この切替タイミングを変更する事により、ＦＦＴ窓の位置を変更することができる。また、入力信号１はそのまま出力される。
【００４８】
次に、スイッチ２４１の動作について説明する。図１１は、本実施形態４による窓制御部２の動作を示す図である。図１１に示すように、入力データ０（遅延なし）、入力データ１（１/２有効シンボル遅延）、入力データ２（１有効シンボル遅延）の各々は、図９，１０に示す信号０〜２に対応する。図１１の左側の図は、図９の信号遅延部２３の出力を示している。図１１の右側の図は、信号遅延部２３から出力された遅延信号を信号切替部２４によって切り替えられたものである。ここで、入力データ０の信号を入力信号２の前に移動させる。このとき、入力データ０と入力データ２との境目が信号切替位置となる。このような信号（図１１の右側に示す信号）は、ＦＦＴ窓に対応するＦＦＴデータとして信号切替部２４（すなわち、窓制御部２）から出力され、ＦＦＴ部３に入力される。
【００４９】
図１２は、本実施形態４による窓制御部２におけるＦＦＴ窓の切り出し位置を変更した場合の動作を示す図である。図１２に示すように、入力データ０の信号が少し長くなり、入力データ２の信号が少し短くなっている。すなわち、入力データ０と入力データ２との切替位置が時間的に後ろへ移動しているため、ＦＦＴ窓の位置が移動している。しかし、シンボルヘッダ（ＦＦＴ窓の基準となる点）の位置は変わらないので、周波数領域上において位相回転は生じない。このように、窓制御部２は、時間領域信号に含まれる所定のシンボルの先頭を示すシンボルヘッダを基準としてＦＦＴ窓の位置を制御している。
【００５０】
ＦＦＴ部３では、図１１，１２に示される右側の図の出力データ２を先頭に出力データ１の順番で再結合された信号（ＦＦＴデータ）をＦＦＴする。従って、本実施形態４による受信装置では、±１/４有効シンボルのＦＦＴ窓の移動が可能となる。
【００５１】
以上のことから、本実施形態４による受信装置は、実施形態１〜３と同様の効果を得ることができる。
【００５２】
〈実施形態５〉
実施形態１〜３では、図３に示すように遅延部２１１〜２１４が４つあり、各遅延部２１１〜２１４における遅延量が１／４有効シンボルである場合について説明した。本実施形態５では、図１３に示すように遅延部２５１〜２５５が５つあり、各遅延部２５１〜２５５における遅延量が１／４有効シンボルである場合について説明する。本実施形態５による受信装置は窓制御部２に特徴を有しており、その他の構成および動作は実施形態１〜４による受信装置（図１，７，８）と同様であるため、ここでは説明を省略する。
【００５３】
図１３は、本実施形態５による信号遅延部２５の構成の一例を示す図である。図１３に示すように、信号遅延部２５は、複数の遅延信号をそれぞれ出力する、直列接続された５つの遅延部２５１〜２５５を備えており、信号遅延部２５から出力される６つの遅延信号（信号０〜５）が信号切替部２６に入力されている。なお、遅延部２５１〜２５５は、例えばメモリ等であってもよい。
【００５４】
次に、信号遅延部２５の動作について説明する。直交復調部１から出力された時間領域信号を入力し、同じ遅延量の遅延部２５１〜２５５が直列に接続され、各遅延部２５１〜２５５にて遅延量が異なる信号（遅延信号）が５つ（信号１〜５）生成される。なお、各遅延部２５１〜２５５における遅延量は１／４有効シンボル長である。上記５つの遅延信号と、遅延部２５１〜２５５を通らない入力信号（信号０、時間領域信号）がそのまま出力され、図１３に０〜５で示された合計６つの信号が出力される。
【００５５】
図１４は、本実施形態５による信号切替部２６の構成の一例を示す図である。図１４に示すように、信号切替部２６は、スイッチ２６１，２６２を備えており、信号切替部２６の出力が窓制御部２の出力となる。
【００５６】
次に、信号切替部２６の動作について説明する。図１４に示す入力信号０〜５は、図１３に示す信号遅延部２５の出力信号０〜５に対応する。図１４に示すように、スイッチ２６１において信号１と信号５とが切り替えられ出力され、スイッチ２６２において信号０と信号４とが切り替えられ出力される。すなわち、スイッチ２６１は、互いの遅延量の差が１有効シンボル分である２つの遅延信号を切り替えて出力し、スイッチ２６２は、時間領域信号と、当該時間領域信号に対して１有効シンボル分遅延した遅延信号とを切り替えて出力している。これらの切替タイミングを変更する事により、ＦＦＴ窓の位置を変更することができる。また、入力信号２，３はそのまま出力される。
【００５７】
次に、スイッチ２６１の動作について説明する。図１５は、本実施形態５による窓制御部２の動作を示す図である。図１５に示すように、入力データ０（遅延なし）、入力データ１（１/４有効シンボル遅延）、入力データ２（２/４有効シンボル遅延）、入力データ３（３/４有効シンボル遅延）、入力データ４（１有効シンボル遅延）、入力データ５（５/４有効シンボル遅延）の各々は、図１３，１４に示す信号０〜５に対応する。図１５の左側の図は、図１３の信号遅延部２５の出力を示している。図１５の右側の図は、信号遅延部２５から出力された遅延信号を信号切替部２６のスイッチ２６１によって切り替えられたものである。ここで、入力データ５の信号を入力信号１の後ろに移動させる。このとき、入力データ１と入力データ５との境目が信号切替位置となり、ＦＦＴ窓の位置を前に移動することができる。このような信号（図１５の右側に示す信号）は、ＦＦＴ窓に対応するＦＦＴデータとして信号切替部２６（すなわち、窓制御部２）から出力され、ＦＦＴ部３に入力される。
【００５８】
図１６は、本実施形態５による窓制御部２におけるＦＦＴ窓の切り出し位置を変更した場合の動作を示す図である。図１６の左側の図は、図１３の信号遅延部２５の出力を示している。図１６の右側の図は、信号遅延部２５から出力された遅延信号を信号切替部２６のスイッチ２６２によって切り替えられたものである。ここで、入力データ０の信号を入力信号４の前に移動させる。このとき、入力データ０と入力データ４との境目が信号切替位置となり、ＦＦＴ窓の位置を後ろへ移動することができる。しかし、シンボルヘッダ（ＦＦＴ窓の基準となる点）の位置は変わらないので、周波数領域上において位相回転は生じない。
【００５９】
ＦＦＴ部３では、図１５，１６に示される右側の図の出力データ４を先頭に出力データ３、出力データ２、出力データ１の順番で再結合された信号（ＦＦＴデータ）をＦＦＴする。従って、本実施形態５による受信装置では、±１/４有効シンボルのＦＦＴ窓の移動が可能となる。
【００６０】
以上のことから、本実施形態５による受信装置は、実施形態１〜４と同様の効果を得ることができる。
【００６１】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６２】
１  直交復調部、２  窓制御部、３  ＦＦＴ部、４  データ復号部、５  伝送路推定及び補正部、６  誤り訂正部、２１  信号遅延部、２２  信号切替部、２３  信号遅延部、２４  信号切替部、２５  信号遅延部、２６  信号切替部、２１１〜２１４  遅延部、２２１  スイッチ、２３１，２３２  遅延部、２４１  スイッチ、２５１〜２５５  遅延部、２６１，２６２  スイッチ。
【図１】
0005543033.tif 000002
【図２】
0005543033.tif 000003
【図３】
0005543033.tif 000004
【図４】
0005543033.tif 000005
【図５】
0005543033.tif 000006
【図６】
0005543033.tif 000007
【図７】
0005543033.tif 000008
【図８】
0005543033.tif 000009
【図９】
0005543033.tif 000010
【図１０】
0005543033.tif 000011
【図１１】
0005543033.tif 000012
【図１２】
0005543033.tif 000013
【図１３】
0005543033.tif 000014
【図１４】
0005543033.tif 000015
【図１５】
0005543033.tif 000016
【図１６】
0005543033.tif 000017
【図１７】
0005543033.tif 000018